(57)【要約】【課題】部品点数が少なく小型の操作パネルを有する火災受信機を得る。【解決手段】  本発明に係る火災受信機１は、本体３と該本体３を覆うとともに窓部５ａを有するカバー５とで構成される筐体６と、発光素子１２が設けられるとともに筐体６内に収納される基板１０と、窓部５ａに対向して基板１０上に設けられるとともに、各種の操作スイッチ１８や各種情報７が明示される操作パネル１１と、発光素子１２の光を操作パネル１１における各種情報７に対応して明るく表示する部位に導く光ガイド２１とを備えた火災受信機１であって、操作パネル１１は、透明部材で形成されると共に光ガイド２１が一体的に形成されてなることを特徴とする。【選択図】  図１
2014106714.tif 000002
【特許請求の範囲】
【請求項１】
本体と該本体を覆うとともに窓部を有するカバーとで構成される筐体と、
発光素子が設けられるとともに前記筐体内に収納される基板と、
前記窓部に対向して前記基板上に設けられるとともに、各種の操作スイッチや各種情報が明示される操作パネルと、
前記発光素子の光を前記操作パネルにおける前記各種情報に対応して明るく表示する部位に導く光ガイドとを備えた火災受信機であって、
前記操作パネルは、透明部材で形成されると共に前記光ガイドが一体的に形成されてなることを特徴とする火災受信機。
【請求項２】
前記光ガイドにおける光の出射面が凸レンズ状に形成されていることを特徴とする請求項１に記載の火災受信機。
【請求項３】
前記光ガイドにおける光の入射面が、前記光ガイドにおける出射面側に向かって凹状に形成されていることを特徴とする請求項１又は２に記載の火災受信機。
【請求項４】
前記操作パネルの表面に貼付されたシートを有し、該シートに前記各種情報が表示され、前記出射面に対応して透光可能であることを特徴とする請求項１乃至３のいずれかに記載の火災受信機。
【発明の詳細な説明】
【技術分野】
【０００１】
本発明は、火災報知設備における火災受信機に関する。
【背景技術】
【０００２】
火災受信機は、火災報知設備において複数の火災検知器等からの火災信号等を受信するためものである。
火災受信機は、その前面に火災受信機の操作を行うための操作パネルを有している。このような操作パネルを有する火災受信機が、例えば、特許文献１に開示されている。特許文献１に開示された火災受信機の操作パネルの前面側には、複数の警戒地区を表示する火災表示部が設けられており、基板側に設けた発光素子の光を各火災表示部に導いて各火災表示部を個別に光らせるようにしている。
【０００３】
基板側に設けた発光素子の光を操作パネルの各火災表示部に導くための手段として、光が透過しない不透明な材料からなる筒状の導光スタッドを設け、各発光素子の光を導光スタッドの筒内を通過させて目的とする火災表示部に導くようにしている。
また、特許文献１では光スタッド内に透明材からなる光ガイドを設けることもできるとしている。
【先行技術文献】
【特許文献】
【０００４】
【特許文献１】特開平１０−３２６３８９
【発明の概要】
【発明が解決しようとする課題】
【０００５】
しかし、特許文献１の火災受信機の操作パネルでは、導光スタッドを筒状に形成して筒内の空間又は筒内に設置した光ガイドを光路としている。そのため、各導光スタッドには筒内の空間と、ある程度の厚みを有する筒壁が必要であり、各導光スタッドの設置にはある程度の面積が必要となり、その分操作パネルが大型化するという問題があった。
また、導光スタッドに光ガイドを入れない場合は、導光スタッドを通過可能な光の量が不十分となり、他方、導光スタッドに光ガイドを設置するとなると、導光スタッドの数だけ光ガイドが必要になり、部品点数が多くなり、製造コストや組立コストがかかるという問題がある。
【０００６】
本発明は、上記のような問題を解決するためになされたものであり、部品点数が少なく小型の操作パネルを有する火災受信機を得ることを目的とする。
【課題を解決するための手段】
【０００７】
（１）本発明に係る火災受信機は、本体と該本体を覆うとともに窓部を有するカバーとで構成される筐体と、
発光素子が設けられるとともに前記筐体内に収納される基板と、
前記窓部に対向して前記基板上に設けられるとともに、各種の操作スイッチや各種情報が明示される操作パネルと、
前記発光素子の光を前記操作パネルにおける前記各種情報に対応して明るく表示する部位に導く光ガイドとを備えた火災受信機であって、
前記操作パネルは、透明部材で形成されると共に前記光ガイドが一体的に形成されてなることを特徴とするものである。
【０００８】
（２）また、上記（１）に記載のものにおいて、前記光ガイドにおける光の出射面が凸レンズ状に形成されていることを特徴とするものである。
【０００９】
（３）また、上記（１）又は（２）に記載のものにおいて、前記光ガイドにおける光の入射面が、前記光ガイドにおける出射面側に向かって凹状に形成されていることを特徴とするものである。
【００１０】
（４）また、上記（１）乃至（３）のいずれかに記載のものにおいて、前記操作パネルの表面に貼付されたシートを有し、該シートに前記各種情報が表示され、前記出射面に対応して透光可能であることを特徴とするものである。
【発明の効果】
【００１１】
本発明においては、光ガイドが操作パネルに一体的に形成されていることにより、部品点数が少なく小型の操作パネルを有する火災受信機を得ることができる。
【図面の簡単な説明】
【００１２】
【図１】本発明の一実施の形態に係る火災受信機の斜視図である。
【図２】本発明の一実施の形態に係る火災受信機の操作パネルを背面側からの斜視図である。
【図３】図２の操作パネルの正面図である。
【図４】図２の操作パネルの背面図である。
【図５】図３中のＡ−Ａ矢視断面図である。
【図６】図２の操作パネルに基板を取り付けた状態を説明する説明図である。
【図７】図６中のＢ−Ｂ矢視端面図である。
【発明を実施するための形態】
【００１３】
本発明の一実施の形態に係る火災受信機１は、図１に示す通り、扁平した箱状からなり、有底枠体の本体３と、本体３の開口部を覆うカバー５とを有している。そして、本体３とカバー５で火災受信機１の筐体６を構成している。
カバー５には矩形状の窓部５ａが設けられており、該窓部５ａは、図１に示されるように、本体３にカバー５を被せて取り付けた状態で火災受信機１を操作するための操作パネル１１が操作可能となっている。そして、操作パネル１１は、詳細は後述するが、本体３内に設けられる基板上に固定されて、窓部５ａに対向する位置に設けられている。
以下、本発明の特徴である操作パネル１１について、図１〜図７に基づいて詳細に説明する。
【００１４】
操作パネル１１は、全体が樹脂製の透明部材で形成されており、図２に示すように、浅底の有底枠体からなる。操作パネル１１は、立てた状態で開口部側が火災受信機１の背面側（本体３側）になるようにして、本体３の図示しないフックに仮止めされる基板１０上に取り付けられる。操作パネル１１の外周部には、外方に突出する小片部からなるネジ取付部（ネジ取付部１３ａ、ネジ取付部１３ｂ）が複数箇所に設けられており、その内、ネジ取付部１３ａには、操作パネル１１側からネジが挿入されて、このネジによって基板１０を介して操作パネル１１と本体３とが固定される。一方、操作パネル１１におけるネジ取付部１３ａが設けられている辺と対向する辺に設けられるネジ取付部１３ｂは、操作パネル１１側からネジが挿入されて、このネジによって操作パネル１１と本体３とが直接固定される。
【００１５】
操作パネル１１の正面側、すなわち操作パネル１１の開口部の裏面側は操作面になっており、火災受信機１等を操作するための操作スイッチ１８や、明るく表示する部位（後述する出射面１７ａ、出射面１７ｂ）等が設けられている。
操作面には図１、図６に示すように、メンブレンシートからなるシート１９が操作面を覆うように貼付されている。シート１９には、明るく表示する部位（出射面１７ａ、出射面１７ｂ）に対応して各種情報７（図示はしていないが、例えば、「火災」や「異常」等の文字）が表示されている。
【００１６】
そのため、シート１９が操作面に貼付されることによって、明るく表示する部位（出射面１７ａ、出射面１７ｂ）がどのような情報を表示するものであるのかが分かるようになっている。例えば明るく表示する部位のうち、「火災」という文字に対応する部位が明るく表示されると、火災が発生したことを示す。あるいは、「異常」という文字に対応する部位が明るく表示されると、異常が発生していることを示す。
なお、上記の説明では、各種情報７は文字の例を示したが、各種情報７は例えば炎を模したマークであってもよい。
【００１７】
シート１９は、明るく表示する部位（出射面１７ａ、出射面１７ｂ）に対応して透光可能になっており、明るく表示する部位（出射面１７ａ、出射面１７ｂ）が光ることによって、シート１９の対応する部位が光るようになっている。
【００１８】
また、操作面の一部には、長方形状の窓状からなり、厚紙などからなるカード状の挿入シート２０（地区窓用紙）、及び図示しない透明な樹脂の地区窓プレートが挿入可能なシート挿入窓８が設けられている。シート挿入窓８の図６中左側には５つの出射面１７ｂが設けられている。挿入シート２０は、シート挿入窓８の各出射面１７ｂに対応した位置に、各種情報７として複数の火災警戒地区名が表示可能になっており、挿入窓８に挿入されている。そして、挿入シート２０の上から地区窓プレートを挿入窓８に挿入し、挿入シート２０を保護する。挿入シート２０が挿入窓８に挿入されている状態において、各火災警戒地区名に対応した出射面１７ｂが明るく表示されると、該各火災警戒地区で火災が発生したことを示す。
なお、図３はシート１９が貼付されておらず、挿入シート２０が挿入されていない状態を図示したものである。また、挿入シート２０中の火災警戒地区名は省略している。
【００１９】
操作パネル１１の底部には、図２、図４に示すように、先端部にネジ孔が形成されたねじスタッド１５が開口部側に突き出すように設けられている。
操作パネル１１の開口部側には、該開口部を覆うようにして基板１０が配置される（図６、図７参照）。そして、操作パネル１１側からねじスタッド１５にネジを挿入し、基板１０を貫通させて本体３と螺着させることで、操作パネル１１は基板１０を介して本体３に取り付けられている。
筐体６に収容される基板１０上には、図６、図７に示すように、火災発生等の状況に応じて発光する発光素子１２が設けられている。
【００２０】
操作パネル１１の底部には、図２、図４、図５および図７に示すように、開口部側に突き出す棒状からなる光ガイド２１が操作パネル１１と一体的に設けられている。一体的に設けられるとは、例えば樹脂成形によって光ガイド２１が操作パネル１１の他の部位と同時に成形される場合をいう。すなわち、操作パネル１１は光ガイド２１と一体的に、透明な樹脂で同時に成形されている。
従って、特許文献１に記載されたもののように光ガイドを設置するための筒状の導光スタッドが不要である。それ故、隣接する光ガイド２１との間隔を狭くすることができ、特に多数の光ガイドを隣接して設けるような場合には、操作パネル１１を小型化することができる。また、操作パネル１１は樹脂で成形されるため、光ガイド２１は様々なサイズ及び形状にすることができる。
【００２１】
また、操作パネル１１と光ガイドが一体的に設けられているため、特許文献１に記載されたもののように光ガイドを別部品として製造して組立てることがなく、それ故、製造コストや組立コストを大幅に減少させることができる。さらに、導光スタッドに光ガイドを挿入する場合に起こりうる光ガイドの取り付け忘れや、光ガイドが斜めに挿入される等の組み付け不良等の問題が、操作パネル１１と光ガイドが一体的に設けられることで、解消される。
【００２２】
光ガイド２１の内部は空洞ではなく、透明な樹脂で充填されている。また、光ガイド２１は、その先端面（基板側の端面）が基板１０に設けられた発光素子１２の発光が入射される入射面１６になっている。
光ガイド２１の基端部には入射面１６から入射した光が出射されるための、平坦面からなる出射面１７ａ（図３中に点線で示す）または、凸レンズ状からなる出射面１７ｂ（図３および図７参照）が形成されている。
凸レンズ状からなる出射面１７ｂは、光ガイド２１によって導かれた光が出射するときに多方向に屈折して、出射面１７ｂの側方からの視認性を高めている。
【００２３】
光ガイド２１は、光ガイド２１の入射面１６が発光素子１２に近接するような長さに設定されている。また、光ガイド２１の入射面１６は、発光素子１２の表面を覆うことができる大きさに設定されている（図７（ｂ）参照）。すなわち、光ガイド２１の長さは、ねじスタッド１５と同じか、それよりわずかに短くなっており、入射面１６の面積は発光素子１２と同じか、それよりも広くなっている。
【００２４】
光ガイド２１の長さを発光素子１２に近接させ、かつ入射面１６を、発光素子１２を覆うことができる大きさに設定することにより、発光素子１２の発光のほぼ全てが光ガイド２１の入射面１６に垂直に入射されて出射面（出射面１７ａ、出射面１７ｂ）から出射される。
垂直に入射されかった光も、光ガイド２１の内面に反射され、光ガイド２１の側面外に出ることなくそのほとんどが出射面（出射面１７ａ、出射面１７ｂ）から出射される。
このように、光ガイド２１は発光素子１２の発光のほぼ全てを出射面（出射面１７ａ、出射面１７ｂ）に導くことができ、目的の照射面以外を光らせることがない。
なお、上述したように導光スタッドが不要であるため、その分光ガイド２１を太くしてもよい。こうすることによって、光ガイド２１で導光される光量を多くすることができる。
【００２５】
また、光ガイド２１の入射面１６を出射面側に向かって凹んでいる凹状に形成しても良い。こうすることで、入射面１６に入射した光はより拡散するので、発光素子１２と操作パネル１１の出射面の距離が短くても出射面の全面を光らせることができ、操作パネル１１を薄型化することができる。
また、光ガイド２１の入射面１６を基板１０側に向かって突出している凸状に形成しても良い。こうすることで、入射面１６に入射した光は拡散せずに集約されて出射面に届くので、出射面をより明るくすることができる。
【００２６】
以上のように、本実施の形態によれば、操作パネル１１を透明部材によって形成し、光ガイド２１を操作パネル１１と一体的に形成しているので、特許文献１に記載されたもののように、筒状の導光スタッドを形成して、筒内に光ガイドを挿入するものに比較して、部品点数を大幅に減らすことができるため、製造コストや、組立コストを大幅に減少させることができる。
また、本実施の形態の光ガイド２１は、特許文献１に記載されたもののように、光ガイドを設置するための筒状の導光スタッドが不要であるため、隣接する光ガイド２１との間隔を狭くすることができ、特に多数の光ガイド２１を隣接して設けるような場合には、操作パネル１１を小型化することができる。
【００２７】
また、基板１０に操作パネル１１を直接取り付けているので、操作パネル１１が基板上の電子部品の保護になる。さらに、操作パネル１１がカバー５に取り付けられる場合と比べて、基板１０に操作パネル１１を直接取り付けている場合は、基板１０上の発光素子１２やスイッチと、操作パネル１１の光ガイド２１や操作スイッチ１８の位置がずれることがなく、製造誤差を吸収することができる。
なお、本実施の形態では、本体３に基板１０及び操作パネル１１が取り付けられるものとして説明したが、窓部５ａを介して操作パネル１１が操作及び視認可能となるように、筐体内に収納されていればよく、例えば、基板１０及び操作パネル１１は、窓部５ａに対応してカバー５の背面側に取り付けられてもよい。
【符号の説明】
【００２８】
１  火災受信機
３  本体
５  カバー
５ａ  窓部
６  筐体
７  各種情報
８  シート挿入窓
１０  基板
１１  操作パネル
１２  発光素子
１３ａ、１３ｂ  ネジ取付部
１５  ねじスタッド
１６  入射面
１７ａ  出射面
１７ｂ  出射面
１８  操作スイッチ
１９  シート
２０  挿入シート
２１  光ガイド
【図１】
2014106714.tif 000003
【図２】
2014106714.tif 000004
【図３】
2014106714.tif 000005
【図４】
2014106714.tif 000006
【図５】
2014106714.tif 000007
【図６】
2014106714.tif 000008
【図７】
2014106714.tif 000009